(57)【特許請求の範囲】
【請求項１】
第１ケース部材に第２ケース部材を組合わせることによって、回路基板を収納可能な内部空間内を形成するケース本体と、
前記第１ケース部材と前記第２ケース部材とを組合わせたとき、前記第１ケース部材に設けられた第１封止片と、前記第２ケース部材に設けられた第２封止片とが組み合わされて前記ケース本体の外側に形成される封止部と、
前記封止部内に配置され、無線通信可能な第１通信手段と
を備え、
前記第１封止片及び前記第２封止片に封止部材を通して前記封止部を止めることにより、前記回路基板が前記ケース本体内に封止される基板ケースにおいて、
前記第１通信手段は、
破損すると無線通信が不能となる基幹部が、前記封止部内のうち、前記封止部が止められる際、前記封止部材が通過する位置に配置され、
前記封止部が止められるときに、前記封止部材が前記基幹部を破損することを特徴とする基板ケース。
【発明の詳細な説明】
【技術分野】
【０００１】
本発明は、遊技機の制御用の回路基板を収納する基板ケース、及び、この基板ケースを用いた封止判定システムに関する。
【背景技術】
【０００２】
遊技機の制御用の回路基板は、不正を防止するため、封止された基板ケース内に収納された状態で遊技機の裏面側に取り付けられるのが一般的である。
この基板ケース２００は、図８に示すように、上下２つのケース部材２１０，２２０で構成されており、回路基板２３０は、これらケース部材２１０，２２０を合わせたケース本体２４０内の内部空間２４１に収納される。
【０００３】
また、各ケース部材２１０，２２０の側面には、複数の封止片２５１，２５２が設けられてており、ケース部材２１０，２２０を合わせると、対応する封止片２５１，２５２同士が合わさって、ケース本体２４０の側面から立設する複数の封止部２５０が形成される。
【０００４】
ケース本体２４０の封止は、このように形成された複数の封止部２５０のうちの１つにネジ２６０を通し、封止片２５１と封止片２５２とをネジ止め（以下「かしめ」という）することによって行われる。
【０００５】
ところで、基板ケース２００の封止部２５０には、基板ケース２００の封止が不正に解かれていないか監視するため、かしめが行われるネジ止め部２５０ａとケース本体２４０との間に位置する首部２５０ｂ内にＩＣタグ２７０が備えられている。
【０００６】
このＩＣタグ２７０を首部２５０ｂに設置したのは、基板ケース２００の封止を解くため、符号αで示したように首部２５０ｂを切断すると、ＩＣタグ２７０も同時に切断され、通信が不能になる。
【０００７】
そのため、図９（ａ）に示すように、ＩＣタグ読取装置から質問信号を送信し、ＩＣタグ２７０から応答信号が受信されるか否かを監視すれば（状態２、状態３）、基板ケース２００の封止が解かれているかいないかを監視することができるからである。
【０００８】
しかし、上記基板ケース２００では、図９（ａ）に示すように、かしめがおこなわれているか（状態１）、かしめがおこなわれていないか（状態２）にかかわらず、ＩＣタグ読取装置からの質問信号を送信するとＩＣタグ２７０から応答信号が受信されるので、かしめが行われているか否かは、監視側では監視できなかった。
【０００９】
そのため、改良された基板ケースでは、かしめのためにネジ止め部３５０ａにネジを螺入すると、ネジ止め部３５０ａに延設されたアンテナ３７０ａが導通して、ＩＣタグ３７０がＩＣタグ読取装置と通信可能となるように構成している（特許文献１）。
【００１０】
このようにすると、図９（ｂ）に示すように、かしめが行われる前後で、ＩＣタグ３７０がＩＣタグ読取装置と通信不能の状態（状態１）から通信可能な状態（状態２）になるので、通信が不能な状態から可能な状態となるか否かを監視側で監視することで、基板ケースにおいてかしめが行われたか否かを監視側で監視することができる。
【先行技術文献】
【特許文献】
【００１１】
【特許文献１】特開２００８−１１３８１２号公報
【発明の概要】
【発明が解決しようとする課題】
【００１２】
しかし、改良された基板ケースでは、導通不良により、かしめが行われているにもかかわらずＩＣタグ３７０が通信可能とならない場合があり、このような場合、監視側では、実際には基板ケースではかしめが行われているにもかかわらず、かしめが行われていないと判断されてしまうので、信頼性の高い監視ができなかった。
【００１３】
そこで本発明では、上述の問題点を解決し、封止が解かれたことはもちろん、かしめが行われていることをも確実に監視することができる基板ケース、及び、封止判定システムを提供することを目的とする。
【課題を解決するための手段】
【００１４】
上述した問題を解決するためになされた発明である請求項１に記載の基板ケースは、
第１ケース部材に第２ケース部材を組合わせることによって、回路基板を収納可能な内部空間内を形成するケース本体と、
前記第１ケース部材と前記第２ケース部材とを組合わせたとき、前記第１ケース部材に設けられた第１封止片と、前記第２ケース部材に設けられた第２封止片とが組み合わされて前記ケース本体の外側に形成される封止部と、
前記封止部内に配置され、無線通信可能な第１通信手段と
を備え、
前記第１封止片及び前記第２封止片に封止部材を通して前記封止部を止めることにより、前記回路基板が前記ケース本体内に封止される基板ケースにおいて、
前記第１通信手段は、
破損すると無線通信が不能となる基幹部が、前記封止部内のうち、前記封止部が止められる際、前記封止部材が通過する位置に配置され、
前記封止部が止められるときに、前記封止部材が前記基幹部を破損することを特徴とする。
【００１５】
この基板ケースでは、第１通信手段の基幹部を封止部材が通る位置に配置することによって、かしめが行われたときに第１通信手段の基幹部を確実に破損して無線通信ができなくなるように構成している。
【００１６】
そのため、この基板ケースを用いると、第１通信手段との通信が不能となったか否かを監視すれば、かしめが行われたか否かを確実に監視することができる。
尚、封止部には封止部材を通す封止部材孔が形成されていることが多い。そのため、基幹部を、封止部材孔内に配置してもよい。封止部材孔に封止部材を通せば確実に基幹部が破損して、第１通信手段が無線通信することができなくなるからである。
【００１７】
また、第１通信手段としては、ＩＣタグを用いてもよく、封止部材としては、ワンウエイネジを用いてもよく、一般のネジでもよく、さらに、土台の先から複数本の弾性変形可能な脚が伸び、その脚の遊端に鈎状部が形成された押しピンを用いてもよい。この押しピンを用いる場合、封止部材孔に脚が挿入されたときは鈎状部が封止部材孔の内壁面に当接して内側にたわみ、鈎上部が一定の位置に来ると鈎状部が脚の弾性力で拡がって封止部材孔の端部に引っかかり、これによって押しピンの土台と鈎状部との間に第１封止片及び第２封止片が挟持されて、封止部が封止されるようにしてもよい。
【００１８】
また、封止部は透明な材料で形成してもよい。
ところで、基幹部を封止部材が通る位置に配置すれば、かしめがなされたことはわかるが、もし第１通信手段を首部に配置すると、首部が切断された場合にも無線通信不能となるので、無線通信不能となった原因が、かしめによるものなのか首部の切断によるものなのかが監視側において不明となる。
【００１９】
そこで、封止部は、封止部材によって止められる止め部と、止め部とケース本体とを接続する首部とを備えるので、このうち止め部内に第１通信手段を備え、首部内に、無線通信可能な第２通信手段を備えることとし、この第２通信手段については、止め部側の端部から、少なくともケース本体側の端部まで延設された状態で首部内に配置することが好ましい。
【００２０】
このようにすると、かしめが行われれば第１通信手段が無線通信不能となり、首部を切断して封止が解かれれば第２通信手段が無線通信不能となるので、第１通信手段あるいは第２通信手段の無線通信の可不可を監視側で判定すれば、かしめの有無や、封止が解かれたか否かが確実に監視できる。
【００２１】
尚、止め部側の端部は、止め部と首部との境界が明瞭な場合は、その境目部分でもよいが、止め部と首部との区別がつかない場合は、止め部に形成された封止部材孔に近接する位置でもよい。
【００２２】
また、第２通信手段は、少なくともケース本体側の端部まで延設されたと記載したように、本体側の端部まで延設されているものでもよいが、ケース本体内まで延設されていてもよいことはもちろんである。
【００２３】
また、第２通信手段は、ＩＣタグであることが好ましい。
次に、上記基板ケースを用いた封止判定システムについて説明する。
封止判定システムは、
前記封止部を複数備える基板ケースと、
前記第１通信手段と通信可能か判定する第１通信判定手段と、
前記第１通信判定手段が前記第１通信手段と通信ができない封止部は、前記封止部材により前記封止部が止められ、通信ができる封止部は、前記封止部が止められていないと判定する第１判定手段と、
前記第１判定手段による判定結果を報知する報知手段と、
を備えることを特徴とする。
【００２４】
この封止判定システムを用いると、第１通信判定手段が第１通信手段と通信ができるか否かによりかしめが行われているか否かが判定され、その結果が報知されるので、基板ケースから離れたところで、基板ケースが確実に封止されているか否かを知ることができる。
【００２５】
次に、封止判定システムは、
前記封止部を複数備える基板ケースと、
前記第１通信手段と通信可能か判定する第１通信判定手段と、
前記第１通信判定手段が前記第１通信手段と通信ができない封止部は、前記封止部材により前記封止部が止められ、通信ができる封止部は、前記封止部材により前記封止部が止められていないと判定する第１判定手段と、
前記第２通信手段と通信可能か判定する第２通信判定手段と、
前記第２通信判定手段が前記第２通信手段と通信できる封止部は、前記首部が切断され
ておらず、通信ができない封止部は、前記首部が切断されていると判定する第２判定手段と、
前記第１判定手段及び前記第２判定手段による判定結果を報知する報知手段と、
を備えることを特徴とする。
【００２６】
この封止判定システムを用いると、第１通信判定手段が第１通信手段と通信ができるか否かによりかしめが行われているか否かが判定され、その結果が報知されるので、基板ケースから離れたところで、基板ケースが確実に封止されているか否かを知ることができる。
【００２７】
また、この封止判定システムを用いると、第２通信判定手段が第２通信手段と通信ができるか否かにより、首部を切断されることなく基板ケースが封止されているか否かが判定され、その結果が報知されるので、基板ケースから離れたところで、基板ケースが確実に封止されているか否かを知ることができる。
【図面の簡単な説明】
【００２８】
【図１】本実施形態の基板ケースの斜視図である。
【図２】（ａ）が第１ケース部材１１を図１の矢印Ａで示すように上方から見た平面図であり、（ｂ）が第１ケース部材１１を図１の矢印Ｂで示すように前方から後方に向かう方向に見た側面図であり、（ｃ）が第２ケース部材１２を図１の矢印Ｃで示すように下方から見た平面図であり、（ｄ）が第２ケース部材１２を図１の矢印Ｂで示すように前方から後方に向かう方向に見た側面図で、（ａ）〜（ｄ）では、一部を透過図で示している。
【図３】封止部２０の（ａ）平面図と、（ｂ）（ａ）のＡ−Ａ’断面図である。
【図４】基板ケース１を図１の矢印Ｂで示すように前方から後方に向かう方向に見た側面図で、（ａ）〜（ｄ）の順に第１ケース部材１１を第２ケース部材１２に組み付ける様子を一部透過図を用いて示している。
【図５】封止判定システムのブロック図である。
【図６】基板ケースに備えられたＩＣタグがＩＣタグ読取装置と通信する通信状態を示す模式図である。
【図７】ホールコンピュータ９４で実行される封止状態鑑定処理のフローチャートである。
【図８】従来の基板ケースの断面図である。
【図９】従来の技術において、基板ケースに備えられたＩＣタグがＩＣタグ読取装置と通信する通信状態を示す模式図である。
【発明を実施するための形態】
【００２９】
以下に、本願発明が適用された実施形態について説明する。
［１．基板ケースの全体構造］
本実施形態の基板ケースの全体構造について説明する。
【００３０】
ここで、図１は、基板ケースの斜視図である。
本実施形態の基板ケース１は、図１に示すように、２つのケース部材１１，１２からなるケース本体１０を備えており、第１ケース部材１１は上面が開口した直方体形状の箱形のケース部材であり、第２ケース部材１２は下面が開口した直方体形状の箱形のケース部材である。
【００３１】
この第１ケース部材１１の上面と、第２ケース部材１２の下面とを合わせると、ケース本体１０内に回路基板を収納する密閉された内部空間１４が形成される。
第１ケース部材１１の長手方向（以下「左右方向」という）に垂直な各側面１１ａには、第２ケース部材１２と合わせたときの第２ケース部材１２との稜線１３に沿って並べられ（この並び方向を以下「前後方向」という）、かつ、各側面１１ａから垂直に立設された透明な４つの第１封止片２１がそれぞれ設けられている。尚、左右方向及び前後方向に垂直な方向を上下方向と呼ぶ。
【００３２】
また、第２ケース部材１２の左右方向に対して垂直な各側面１２ａにも、稜線１３に沿って並べられ、かつ、各側面１２ａから垂直に立設された透明な４つの第２封止片２２がそれぞれ設けられている。
【００３３】
本実施形態の基板ケース１は、各ケース部材１１、１２を重ねたとき、これら各封止片２１，２２が組み合わされ、ケース本体１０の左右方向に対して垂直な外周側面１０ａから垂直に立設された複数の封止部２０が形成される。
【００３４】
本実施形態の基板ケース１は、第１封止片２１及び第２封止片２２にワンウエイネジ７を通していずれかの封止部２０をネジ止めすることにより、回路基板がケース本体１０の内部空間１４内に封止される。図１では、各側面１０ａのうち、図中の矢印Ｂで示すように最も前方側の封止部２０が、それぞれネジ止めされている様子を示している。
【００３５】
尚、ワンウエイネジとは、周知の通りねじ切り溝が特殊な形状に形成されており、対象物に螺合させると、外すことができないネジである。
［２．ケース本体の詳細な構造］
次に、ケース本体１０の構造について説明する。
【００３６】
ここで、図２は、（ａ）が第１ケース部材１１を図１の矢印Ａで示すように上方から見た平面図であり、（ｂ）が第１ケース部材１１を図１の矢印Ｂで示すように前方から後方に向かう方向に見た側面図であり、（ｃ）が第２ケース部材１２を図１の矢印Ｃで示すように下方から見た平面図であり、（ｄ）が第２ケース部材１２を図１の矢印Ｂで示すように前方から後方に向かう方向に見た側面図で、（ａ）〜（ｄ）では、一部を透過図で示している。
【００３７】
図３は、封止部２０の（ａ）平面図と、（ｂ）（ａ）のＡ−Ａ’断面図である。
尚、図２〜図３では、同一構成については符号を一部省略している。
［２−１．第１ケース部材１１］
ケース本体１０は、上述したように、上下のケース部材１１，１２で構成されている。
【００３８】
このうち、第１ケース部材１１は、図２（ａ）（ｂ）に示すように、内部空間１４（図１参照）を形成する空間１１４の開口１１０の周囲に、第１ケース部材１１の厚みによって生じる面１１１が形成されている。
【００３９】
また、この第１ケース部材１１は、上記面１１１のうち左右方向に沿って長尺な各面１１１の内側（各面１１１から見て開口１１０の側）に各面１１１に隣接して配置された、左右方向に沿って長尺な一対の帯部１１３を備えている。
【００４０】
これら帯部１１３は、左右方向に沿って長尺な各面１１１よりも、左端と右端がそれぞれ短い長さに形成されている。また、これら帯部１１３は、隣接する各面１１１を向く側の面が、面１１１と連続し、かつ、面１１１から上方に向かって垂直な面を形成している。
【００４１】
また、第１ケース部材１１は、左右方向に沿って長尺な各面１１１上に、左右方向に沿って等間隔に配置された鉤状部１１２が形成されている。
鉤状部１１２は、帯部１１３と隣接し、かつ一体に形成されて剛性を確保されるとともに、上記各面１１１から帯部１１３の上端と同じ高さまで左右方向に対して垂直な壁面が立設され、かつ、その上端から一方の外周側面１１ａ側（紙面の右側の外周側面１１ａ）に向かって水平な壁面が延設された鉤状に形成されている。
［２−２．第２ケース部材１２］
第２ケース部材１２は、図２（ｃ）（ｄ）に示すように、内部空間１４（図１参照）を形成する空間１２４の開口１２０の周囲に、第２ケース部材１２の厚みによって生じる面１２１が形成されている。
【００４２】
この面１２１は、第１ケース部材１１と第２ケース部材１２とを合わせたときに、面１２１の外周と内周の輪郭が、第１ケース部材１１の面１１１の外周と内周の輪郭と完全に一致する形状に形成されている。
【００４３】
また、この第２ケース部材１２は、左右方向に沿って長尺な各面１２１上に、左右方向に沿って等間隔に形成された係合溝１２３が形成されている。
各係合溝１２３内には、第１ケース部材１１と第２ケース部材１２とを重ねたときに、鉤状部１１２に係合する係合片１２２が形成されている。
【００４４】
この係合片１２２は、鉤状部１１２と係合したとき、鉤状部１１２と面１１１とで形成される略コ字状の嵌合空間１１２ａ（図２（ｂ）参照）に嵌合する形状に形成されている。
【００４５】
また、係合溝１２３は、左右方向に沿って長尺に形成されており、係合片１２２が形成された位置よりも他方の外周側面１０ａ側（紙面の左の外周側面１０ａ）には、第１ケース部材１１に第２ケース部材１２を重ねるときに鉤状部１１２を挿入可能な挿入空間１２３ａが形成されている。
［２−３．第１封止片２１］
第１封止片２１は、図２（ａ）（ｂ）に示すように、第１ケース部材１１に複数備えられ、左右の各外周側面１１ａから垂直に立設された首部２１１の先端に、上下方向に沿った軸を有する円筒状に形成されたネジ止め部２１２が形成されている。
【００４６】
また、ネジ止め部２１２の軸中心には、ワンウエイネジ用のネジ孔２１２ａが形成されている。このネジ孔２１２ａは、図３（ｂ）に示すように、第２封止片２２と重なる上面から下方に向かって形成され、貫通はしていない。
【００４７】
そして、ネジ止め部２１２の上面には、このネジ止め部２１２を横切って、左右方向に沿って長尺な溝２１３（図２（ａ）参照）が形成され、この溝２１３に第１ＩＣタグ３０が嵌合されている。
【００４８】
この第１ＩＣタグ３０は、長手方向の中心にユニーク情報を記憶したＩＣ３０ａを備えており、本実施形態では、第１ＩＣタグ３０が溝２１３に嵌合されると、ＩＣ３０ａがネジ孔２１２ａの中心に配置される。
［２−４．第２封止片２２］
第２封止片２２は、図２（ｃ）（ｄ）に示すように、第２ケース部材１２に複数備えられ、左右の各外周側面１２ａから垂直に立設された首部２２１の先端に、上下方向に沿った軸を有する円筒状に形成されたネジ止め部２２２が形成されている。
【００４９】
また、ネジ止め部２２２の軸中心には、図３（ｂ）に示すように、ワンウエイネジ用のネジ孔２２２ａが貫通して形成されている。このネジ孔２２２ａは、上方側が、ワンウエイネジ７のヘッド部を挿入できるよう、下方側に比べて大きな径で形成されている。
【００５０】
また、首部２２１の下面には、幅方向の中心を通って第２ケース部材１２側の端部から、ネジ止め部２２２側の端部まで延設され長手方向に沿って長尺な溝２２３が形成され（図２（ｃ）参照）、この溝２２３に第２ＩＣタグ３１が嵌合されている。
［３．組み立て方法］
次に、本実施形態の基板ケース１の組み立て方法について説明する。
【００５１】
ここで、図４は、基板ケース１を図１の矢印Ｂで示すように前方から後方に向かう方向に見た側面図で、（ａ）〜（ｄ）の順に第１ケース部材１１を第２ケース部材１２に組み付ける様子を一部透過図を用いて示している。
【００５２】
尚、図４では、図面の見栄えのため、同一構成の符号について一部省略し、また、説明に不要な符号については一部省略している。
本実施形態の基板ケース１に、遊技機の制御用の回路基板６を収納する場合、第１ケース部材１１内に回路基板６を収納し、図４（ａ）に示すように、第２ケース部材１２を第１ケース部材１１に対しやや右方向にずらして重ねる。
【００５３】
基板ケース１は、帯部１１３が、第１ケース部材１１の左右方向に沿って長尺な面１１１に対して左端の部分で短い形状に形成され、第２ケース部材１２の前後方向に長尺な面１２１と帯部１１３がぶつからないので、第１ケース部材１１に対して第２ケース部材１２を右方向にずらして重ねることが可能となっている。
【００５４】
すると、図４（ｂ）に示すように、第２ケース部材１２は、鉤状部１１２が係合溝１２３の挿入空間１２３ａに挿入された状態で、第２ケース部材１２が第２ケース部材に重ねられる。
【００５５】
このとき、帯部１１３が第２ケース部材１２の空間１２４内に挿入され、帯部１１３が、空間１２４を形成する左右方向に沿って長尺で、前後方向に垂直な面に当接して、第２ケース部材１２が第１ケース部材１１に対して前後方向にズレないように位置決めする。
【００５６】
次に、図４（ｃ）に示すように、第２ケース部材１２を左方向にずらし、係合片１２２と鉤状部１１２とを係合させる。このとき、第１封止片２１及び第２封止片２２は、ネジ孔２１２ａ，２２２ａにワンウエイネジ７を挿入可能に組み合わせられる。
【００５７】
次に、図４（ｄ）に示すように、各封止部２０のネジ止め部２１２、２２２にワンウエイネジ７を挿入する。すると図３（ｂ）に示すように、ワンウエイネジ７の先端が第１ＩＣタグ３０の中央に当り、さらに挿入すると、第１ＩＣタグ３０のＩＣ３０ａを壊してネジ止めが行われる。
【００５８】
そして、このネジ止めが行われると、第２ケース部材１２が第１ケース部材１１に対して固定される、いわゆるかしめが行われるので、ケース本体１０が封止される。
［４．効果］
上述した基板ケース１は、下記のような技術的な特徴がある。
【００５９】
この基板ケース１では、第１ＩＣタグ３０に埋め込まれたＩＣ３０ａがネジ孔２１２ａが開口している部分に配置されるように構成することによって、かしめが行われたときに第１ＩＣタグ３０のＩＣ３０ａを確実に破損して無線通信ができなくなるように構成している。
【００６０】
そのため、この基板ケース１を用いると、第１ＩＣタグ３０との通信が不能となったか否かを監視すれば、かしめが行われたか否かを確実に監視することができる。
また、この基板ケース１では、封止部２０は透明な材料で形成されているので、かしめが行われた際に第１ＩＣタグ３０のＩＣ３０ａが破損しているか否かを目視で確認することができる。
【００６１】
また、この基板ケース１では、首部２２１に第２ＩＣタグ３１が配置されているので、首部２２１を切断すると、第２ＩＣタグ３１が無線通信不能となる。
そのため、かしめが行われて第１ＩＣタグ３０が無線通信不能となった後、首部２１１，２２１を切断して封止が解かれれば第２ＩＣタグ３１が無線通信不能となるので、第１ＩＣタグ３０及び第２ＩＣタグ３１の無線通信の可不可を監視側で判定することで、かしめの有無ばかりでなく、一旦かしめられた封止部２０の封止が解かれたか否かをも確実に監視できる。
［５．封止判定システム］
次に、上述した基板ケース１を用いて構成される封止判定システムについて説明する。
【００６２】
ここで、図５は、封止判定システムのブロック図、図６は、基板ケースに備えられたＩＣタグがＩＣタグ読取装置と通信する通信状態を示す模式図、図７は、封止状態鑑定処理のフローチャートである。
【００６３】
尚、符号１、及び、９１〜９３に相当する構成については、代表する１つの構成を除いて他の構成については符号を省略している。
［５−１．封止判定システムのブロック図］
パチンコホール内には、図５に示すように、複数の遊技島９０が設置されている。
【００６４】
各遊技島９０には、長手方向に沿った両面に複数の遊技機９１が設置されており、各遊技機９１の裏面（遊技島９０内側の面）には、第１ＩＣタグ３０及び第２ＩＣタグ３１と無線通信するＩＣタグ読取装置９２が設置されている。
【００６５】
また、各遊技島９０には、各遊技島９０を管理する管理装置９３が設置され、管理装置９３は、この管理装置９３が設置された同じ遊技島９０に備えられている遊技機９１の基板ケース１及びＩＣタグ読取装置９２と通信可能に接続されている。
【００６６】
本実施形態で用いられる第１ＩＣタグ３０及び第２ＩＣタグ３１は、受動型のＩＣタグなので、ＩＣタグ読取装置９２がこれらのＩＣタグ３０，３１と通信するときは、まず、ＩＣタグ読取装置９２の側からＩＣタグ３０，３１に質問信号を送る。
【００６７】
すると、この信号の磁界によって発生する起電力によって各ＩＣタグ３０，３１からＩＣタグ読取装置９２に応答信号が送られるので、このようにして、管理装置９３は、このＩＣタグ読取装置９２を使用して、ＩＣタグ３０，３１と通信を行う。
【００６８】
次に、パチンコホール内には、遊技島９０の他に、パチンコホール全体を統括するホールコンピュータ９４が設置されている。
このホールコンピュータ９４は、各遊技島９０の管理装置９３と通信可能に接続されており、この管理装置９３を介することで、パチンコホール内のすべての遊技機９１に設置された基板ケース１が備える各ＩＣタグ３０，３１と通信することができる。
【００６９】
また、ホールコンピュータ９４は、後述する封止状態監視処理の実行結果を表示するモニタ９５を備えている。
［５−２．かしめ、封止の解除と、通信の可否の関係］
本実施形態では、上記システムを用い、以下のような通信が行われる。
【００７０】
上述した封止鑑定システムでは、図６に示すように、ホールコンピュータ９４から各ＩＣタグ読取装置９２に指示があり、基板ケース１に対して質問信号が無線で送信されると、かしめも行われず、封止の解除も行われない場合は、状態１のように、第１ＩＣタグ３０からも第２ＩＣタグ３１からもユニーク情報からなる応答信号が返信される。
【００７１】
しかし、かしめが行われる場合は、第１ＩＣタグ３０が破損して通信が不能となるので、状態２に示したように、質問信号が基板ケース１に送信されても、第２ＩＣタグ３１からしか応答信号の返信はない。そのため、第１ＩＣタグ３０からの応答信号の返信の有無によって、上記システムでは、かしめが行われているか判定できる。
【００７２】
また、かしめが行われた後に封止部２０の首部２１１，２２１を切断すると、第２ＩＣタグ３１が破損して通信が不能となるので、状態３に示したように、質問信号が封止部２０に送信されても、応答信号の返信はない。
【００７３】
そのため、応答信号の返信が一切ないか否かによって、上記システムでは、かしめが行われた封止部２０での封止が解かれたが判定できる。
［５−３．封止状態監視処理］
次に、このような判定が可能な封止判定システムで実行される封止状態監視処理について説明する。
【００７４】
ところで、基板ケース１は、例えば図１の矢印Ｂの後端側のものから先端側に向かって順に使用するように決められている。
そのため、いずれかの封止部２０がかしめられて、基板ケース１が封止されているときに、公的な点検その他により、この封止部２０の首部２１１，２２１を切断して封止を解いた場合、この公的な点検が終了し、再び基板ケース１を封止するときは、首部２１１，２２１が切断された封止部２０に隣接する矢印Ｂの先端側の封止部２０をかしめて基板ケース１を封止するよう決められている。
【００７５】
以下で説明する封止状態監視処理は、このように封止する順番が決められている基板ケース１について封止が行われているか監視する処理である。
尚、以下では、矢印Ｂの後端から先端に向かって、各封止部２０に設置された第１ＩＣタグを１Ａ〜４Ａ、第２ＩＣタグを１Ｂ〜４Ｂと呼び、各封止部２０を矢印Ｂの後端側から第１封止部２０、第２封止部２０、第３封止部２０、第４封止部２０と呼ぶ。
【００７６】
また、以下では、各ＩＣタグが備えているＩＣに、各ＩＣタグのユニーク情報として、製造時に付与されたＩＰアドレス情報が記憶されているものとして説明する。
また、基板ケース１は、各外周側面１０ａにそれぞれ４つずつ設置された封止部２０すべてにＩＣタグ１Ａ〜４Ａ、１Ｂ〜４Ｂを備えているが、以下では、説明簡単のため、一方の外周側面１０ａに設置された封止部２０について説明する。
【００７７】
また、各封止部２０の首部とは、各封止部２０を構成する第１封止片２１と第２封止片２２の首部２１１，２２１に相当する部分であるとして説明する。
封止状態鑑定処理は、ホールコンピュータ９４を起動すると、すべての遊技機９１について順次実行される。そのため、１台の遊技機９１では、他のすべての遊技機９１に対して処理が終了するごとに繰り返し実行されるので、所定時間毎にこの処理が実行されることとなる。
【００７８】
この封止状態鑑定処理がある遊技機９１に対して開始されると、Ｓ１００の処理が実行される。
Ｓ１００では、管理装置９３を介してＩＣタグ読取装置９２から、各封止部２０のすべてのＩＣタグ１Ａ〜４Ａ、１Ｂ〜４Ｂに質問信号を送る処理が実行される。次にＳ１１０が実行される。
【００７９】
Ｓ１１０では、第４封止部２０に備えられた第２ＩＣタグ４Ｂから応答があるか判定する処理が実行される。
第４封止部２０の首部が切断され封止が解かれると第２ＩＣタグ４Ｂが破損して応答がなくなるので、この応答があるか否かにより、Ｓ１１０では第４封止部２０による封止が解かれたか監視している。
【００８０】
第２ＩＣタグ４Ｂから応答がない場合は（Ｓ１１０：ＮＯ）、Ｓ１１１が実行され、応答がある場合は（Ｓ１１０：ＹＥＳ）、Ｓ１２０が実行される。
Ｓ１１１では、第１ＩＣタグ１Ａ〜４Ａ、及び、第２ＩＣタグ１Ｂ〜３Ｂから応答があるか判定する。第４封止部２０による封止が解かれるときは、通常他のすべての封止部２０でも封止が解かれているので、いずれのＩＣタグからも応答がないはずである。
【００８１】
それにもかかわらず、応答がある場合はなんらかの不正が行われているか、不具合があるので、第１ＩＣタグ１Ａ〜４Ａ、及び、第２ＩＣタグ１Ｂ〜３Ｂから応答があった場合は（Ｓ１１１：ＹＥＳ）、異常がある旨を、ホールコンピュータ９４のモニタ９５に警告表示する処理を実行する（Ｓ２００）。
【００８２】
一方、応答がない場合は（Ｓ１１１：ＮＯ）、第４封止部２０の首部が切断され封止が解かれている旨を、ホールコンピュータ９４のモニタ９５に警告表示する処理を実行する（Ｓ１１３）。
【００８３】
Ｓ１２０では、第４封止部２０に備えられた第１ＩＣタグ４Ａから応答があるか判定する処理が実行される。
第４封止部２０がかしめられると、第１ＩＣタグ４Ａが破損して応答がなくなるので、Ｓ１２０では、この応答の有無で第４封止部２０がかしめられたか監視している。
【００８４】
第１ＩＣタグ４Ａから応答がない場合は（Ｓ１２０：ＮＯ）、Ｓ１２１が実行され、応答がある場合は（Ｓ１２０：ＹＥＳ）、Ｓ１３０が実行される。
Ｓ１２１では、第１ＩＣタグ１Ａ〜３Ａ、及び、第２ＩＣタグ１Ｂ〜３Ｂから応答があるか判定する。第４封止部２０がかしめられるときは、第１ＩＣタグ１Ａ〜３Ａ、及び、第２ＩＣタグ１Ｂ〜３Ｂからは応答がないはずである。
【００８５】
それにもかかわらず、応答がある場合はなんらかの不正が行われているか、不具合があるので、第１ＩＣタグ１Ａ〜３Ａ、及び、第２ＩＣタグ１Ｂ〜３Ｂのいずれかから応答があった場合は（Ｓ１２１：ＹＥＳ）、異常がある旨を、ホールコンピュータ９４のモニタ９５に警告のための表示を行う処理を実行する（Ｓ２００）。
【００８６】
一方、応答がない場合は（Ｓ１２１：ＮＯ）、Ｓ１２３の処理を実行する。
Ｓ１２３では、第４封止部２０がかしめられている旨を、ホールコンピュータ９４のモニタ９５に警告表示する処理を実行する。
【００８７】
Ｓ１３０では、第３封止部２０に備えられた第２ＩＣタグ３Ｂから応答があるか判定する処理が実行される。
第３封止部２０の首部が切断され封止が解かれると第２ＩＣタグ３Ｂが破損して応答がなくなるので、この応答があるか否かにより、第３封止部２０による封止が解かれたか監視している。
【００８８】
第２ＩＣタグ３Ｂから応答がない場合は（Ｓ１３０：ＮＯ）、Ｓ１３１が実行され、応答がある場合は（Ｓ１３０：ＹＥＳ）、Ｓ１４０が実行される。
Ｓ１３１では、第１ＩＣタグ１Ａ〜３Ａ、及び、第２ＩＣタグ１Ｂ〜２Ｂから応答があるか判定する。第３封止部２０による封止が解かれるときは、第１ＩＣタグ１Ａ〜３Ａ、及び、第２ＩＣタグ１Ｂ〜２Ｂからは応答がないはずである。
【００８９】
それにもかかわらず、応答がある場合はなんらかの不正が行われているか、不具合があるので、第１ＩＣタグ１Ａ〜３Ａ、及び、第２ＩＣタグ１Ｂ〜２Ｂから応答があった場合は（Ｓ１３１：ＹＥＳ）、異常がある旨を、ホールコンピュータ９４のモニタ９５に警告表示する処理を実行する（Ｓ２００）。
【００９０】
一方、応答がない場合は（Ｓ１３１：ＮＯ）、Ｓ１３３の処理を実行する。
Ｓ１３３では、第３封止部２０の首部が切断され封止が解かれている旨を、ホールコンピュータ９４のモニタ９５に警告表示する処理を実行する（Ｓ１３３）。
【００９１】
Ｓ１４０では、第３封止部２０に備えられた第１ＩＣタグ３Ａから応答があるか判定する処理が実行される。
第３封止部２０がかしめられると、第１ＩＣタグ３Ａが破損して応答がなくなるので、Ｓ１４０では、この応答の有無で第３封止部２０がかしめられたか監視している。
【００９２】
第１ＩＣタグ３Ａから応答がない場合は（Ｓ１４０：ＮＯ）、Ｓ１４１が実行され、応答がある場合は（Ｓ１４０：ＹＥＳ）、Ｓ１５０が実行される。
Ｓ１４１では、第１ＩＣタグ１Ａ〜２Ａ、及び、第２ＩＣタグ１Ｂ〜２Ｂから応答があるか判定する。
【００９３】
第３封止部２０がかしめられるときは、第１ＩＣタグ１Ａ〜２Ａ、及び、第２ＩＣタグ１Ｂ〜２Ｂからは応答がないはずである。
それにもかかわらず、応答がある場合はなんらかの不正が行われているか、不具合があるので、第１ＩＣタグ１Ａ〜２Ａ、及び、第２ＩＣタグ１Ｂ〜２Ｂから応答があった場合は（Ｓ１４１：ＹＥＳ）、異常がある旨を、ホールコンピュータ９４のモニタ９５に警告のための表示を行う処理を実行する（Ｓ２００）。
【００９４】
一方、応答がない場合は（Ｓ１４１：ＮＯ）、Ｓ１４３の処理を実行する。
Ｓ１４３では、第３封止部２０がかしめられている旨を、ホールコンピュータ９４のモニタ９５に警告表示する処理を実行する。
【００９５】
Ｓ１５０では、第２封止部２０に備えられた第２ＩＣタグ２Ｂから応答があるか判定する処理が実行される。
第２封止部２０の首部が切断され封止が解かれると第２ＩＣタグ２Ｂが破損して応答がなくなるので、この応答があるか否かにより、Ｓ１５０では第２封止部２０による封止が解かれたか監視している。
【００９６】
第２ＩＣタグ２Ｂから応答がない場合は（Ｓ１５０：ＮＯ）、Ｓ１５１が実行され、応答がある場合は（Ｓ１５０：ＹＥＳ）、Ｓ１６０が実行される。
Ｓ１５１では、第１ＩＣタグ１Ａ〜２Ａ、及び、第２ＩＣタグ１Ｂから応答があるか判定する。第２封止部２０による封止が解かれるときは、第１ＩＣタグ１Ａ〜２Ａ、及び、第２ＩＣタグ１Ｂからは応答がないはずである。
【００９７】
それにもかかわらず、応答がある場合はなんらかの不正が行われているか、不具合があるので、第１ＩＣタグ１Ａ〜２Ａ、及び、第２ＩＣタグ１Ｂから応答があった場合は（Ｓ１５１：ＹＥＳ）、異常がある旨を、ホールコンピュータ９４のモニタ９５に警告表示する処理を実行する（Ｓ２００）。
【００９８】
一方、応答がない場合は（Ｓ１５１：ＮＯ）、Ｓ１５３の処理を実行する。
Ｓ１５３では、第２封止部２０の首部が切断され封止が解かれている旨を、ホールコンピュータ９４のモニタ９５に警告表示する処理を実行する。
【００９９】
Ｓ１６０では、第２封止部２０に備えられた第１ＩＣタグ２Ａから応答があるか判定する処理が実行される。
第２封止部２０がかしめられると、第１ＩＣタグ２Ａが破損して応答がなくなるので、Ｓ１６０では、この応答の有無で第２封止部２０がかしめられたか監視している。
【０１００】
第１ＩＣタグ２Ａから応答がない場合は（Ｓ１６０：ＮＯ）、Ｓ１６１が実行され、応答がある場合は（Ｓ１６０：ＹＥＳ）、Ｓ１７０が実行される。
Ｓ１６１では、第１ＩＣタグ１Ａ、及び、第２ＩＣタグ１Ｂから応答があるか判定する。第２封止部２０がかしめられるときは、第１ＩＣタグ１Ａ、及び、第２ＩＣタグ１Ｂからは応答がないはずである。
【０１０１】
それにもかかわらず、応答がある場合はなんらかの不正が行われているか、不具合があるので、第１ＩＣタグ１Ａ、及び、第２ＩＣタグ１Ｂから応答があった場合は（Ｓ１６１：ＹＥＳ）、異常がある旨を、ホールコンピュータ９４のモニタ９５に警告のための表示を行う処理を実行する（Ｓ２００）。
【０１０２】
一方、応答がない場合は（Ｓ１６１：ＮＯ）、Ｓ１６３の処理を実行する。
Ｓ１６３では、第２封止部２０がかしめられている旨を、ホールコンピュータ９４のモニタ９５に警告表示する処理を実行する。
【０１０３】
Ｓ１７０では、第１封止部２０に備えられた第２ＩＣタグ１Ｂから応答があるか判定する処理が実行される。
第１封止部２０の首部が切断され封止が解かれると第２ＩＣタグ１Ｂが破損して応答がなくなるので、この応答があるか否かにより、Ｓ１７０では第１封止部２０による封止が解かれたか監視している。
【０１０４】
第２ＩＣタグ１Ｂから応答がない場合は（Ｓ１７０：ＮＯ）、Ｓ１７１が実行され、応答がある場合は（Ｓ１７０：ＹＥＳ）、Ｓ１８０が実行される。
Ｓ１７１では、第１ＩＣタグ１Ａから応答があるか判定する。第１封止部２０による封止が解かれるときは、通常この封止の前に第１封止部２０でのかしめが行われているので、第１ＩＣタグ１Ａからは応答がないはずである。
【０１０５】
それにもかかわらず、応答がある場合はなんらかの不正が行われているか、不具合があるので、第１ＩＣタグ１Ａから応答があった場合は（Ｓ１７１：ＹＥＳ）、異常がある旨を、ホールコンピュータ９４のモニタ９５に警告表示する処理を実行する（Ｓ２００）。
【０１０６】
一方、応答がない場合は（Ｓ１７１：ＮＯ）、Ｓ１７３の処理を実行する。
Ｓ１７３では、第１封止部２０の首部が切断され封止が解かれている旨を、ホールコンピュータ９４のモニタ９５に警告表示する処理を実行する。
【０１０７】
Ｓ１８０では、第１ＩＣタグ１Ａからユニーク情報を受信したか否かを判定する処理を実行する。
この処理で、ユニーク情報を受信していない場合は（Ｓ１８０：ＮＯ）、かしめが行われているので、第１封止部２０がかしめられている旨を、ホールコンピュータ９４のモニタ９５に警告表示する処理を実行する（Ｓ１８３）。
【０１０８】
一方、ユニーク情報を受信している場合は（Ｓ１８０：ＹＥＳ）、かしめが行われていないので、封止が行われる間の状態であることを、ホールコンピュータ９４のモニタ９５に警告表示する処理を実行する（Ｓ１８４）。
［６．効果］
上述した封止鑑定システムを用いると、以下のような効果がある。
【０１０９】
この封止判定システムを用いると、ホールコンピュータ９４が第１ＩＣタグ１Ａ〜４Ａと通信ができるか否かによりかしめが行われている否かが判定され、その結果が報知されるので、基板ケース１から離れたところで、基板ケース１が確実に封止されているか否かを知ることができる。
【０１１０】
また、この封止判定システムを用いると、ホールコンピュータ９４が第２ＩＣタグ１Ｂ〜４Ｂと通信ができるか否かにより、基板ケース１の封止が解かれたか否かが判定され、その結果が報知されるので、基板ケース１から離れたところで、基板ケース１が確実に封止されているか否かを知ることができる。
［７．対応関係］
本実施形態の第１ＩＣタグ３０が、本発明の第１通信手段に相当する。
【０１１１】
本実施形態の第２ＩＣタグ３１が、本発明の第２通信手段に相当する。
本実施形態のネジ孔２１２ａ、２２２ａが、本発明の封止部材孔に相当する。
本実施形態のネジ止め部２１２，２２２が、本発明の止め部に相当する。
【０１１２】
本実施形態のＩＣ３０ａが、本発明の基幹部に相当する。
本実施形態のＳ１２０、Ｓ１４０、Ｓ１６０、Ｓ１８０の処理が、本発明の第１通信判定手段に相当する。
【０１１３】
本実施形態のＳ１１０、Ｓ１３０、Ｓ１５０、Ｓ１７０の処理が、本発明の第２通信判定手段に相当する。
本実施形態のＳ１１３、Ｓ１２３、Ｓ１３３、Ｓ１４３、Ｓ１５３、Ｓ１６３、Ｓ１７３、Ｓ１８３、Ｓ２００の処理、及び、モニタ９５が、本発明の報知手段に相当する。
（その他の実施形態）
上記実施形態では、ユニーク情報として、ＩＰアドレス情報を利用したが、他の情報を用いてもよいことはもちろんである。
【０１１４】
上記実施形態では、ＩＣタグを用いたが、本実施形態を実施可能な通信手段であれば、他の通信手段をもちいてもよい。
上記実施形態では、ＩＣタグ３０のＩＣ３０ａを破損するよう構成したが、破損すると通信不能な部位であれば、ＩＣ３０ａ以外の部位を破損するようにしてもよい。
【０１１５】
本発明は、特許請求の範囲に記載された発明の趣旨に合致するものであればよく、上述の実施形態に限定されるものではない。
【符号の説明】
【０１１６】
１…基板ケース、６…回路基板、７…ワンウエイネジ、１０…ケース本体、１０ａ…外周側面、１１…第１ケース部材、１２…第２ケース部材、１３…稜線、１４…内部空間、２０…封止部、２１…第１封止片、２２…第２封止片、３０…第１ＩＣタグ、３１…第２ＩＣタグ、９０…遊技島、９１…遊技機、９２…ＩＣタグ読取装置、９３…管理装置、９４…ホールコンピュータ、９５…モニタ、１１０…開口、１１１…面、１１２…鉤状部、１１３…帯部、１１４…空間、１２０…開口、１２１…面、１２２…係合片、１２３…係合溝、１２４…空間、２１１…首部、２１２…ネジ止め部、２１２ａ…ネジ孔、２１３…溝、２２１…首部、２２２…ネジ止め部、２２２ａ…ネジ孔、２２３…溝。
【図１】
0005768479.tif 000002
【図２】
0005768479.tif 000003
【図３】
0005768479.tif 000004
【図４】
0005768479.tif 000005
【図５】
0005768479.tif 000006
【図６】
0005768479.tif 000007
【図７】
0005768479.tif 000008
【図８】
0005768479.tif 000009
【図９】
0005768479.tif 000010